(57)【要約】【課題】袋掛け作業を能率化することが可能な果実袋を提供する。【解決手段】果実を包む袋体２１の開口部２２を果梗において閉じるためのストリップ３１を、該袋体２１に付設することにより果実袋１を構成した。よって、袋体２１とストリップ３１とが切り離された従来の果実袋と比較して、袋掛け作業を能率化することができる。【選択図】図１
2018186761.tif 000002
【特許請求の範囲】
【請求項１】
不織布からなる、果実を包むための袋体と、
前記袋体に付設された、果実を包む該袋体の開口部を果梗において閉じるための閉じ手段とを備えてなる、
ことを特徴とする果実袋。
【請求項２】
前記閉じ手段は、
前記袋体の開口周縁部に連なり設けられた、不織布のストリップと、
該ストリップに付着して設けられるか、あるいは該ストリップが筒形状をなすとき、その内側に収容されてなる、巻き紐とを備えてなる、
ことを特徴とする請求項１記載の果実袋。
【請求項３】
前記ストリップが筒形状をなし、その上端、下端、もしくは両端が閉じられて袋状に形成される、
ことを特徴とする請求項２記載の果実袋。
【請求項４】
前記ストリップの長手端が、ヒートシールにより前記袋体の側部に、前記閉じ手段が前記袋体から引き離し可能となるように、連接されてなる、
ことを特徴とする請求項２または３記載の果実袋。
【請求項５】
前記袋体が、ポリプロピレン不織布からなる、
ことを特徴とする請求項１ないし４のうちいずれか一項記載の果実袋。
【請求項６】
前記ストリップが、前記袋体と同一のポリプロピレン不織布からなる、
ことを特徴とする請求項５記載の果実袋。
【発明の詳細な説明】
【技術分野】
【０００１】
本発明は、袋掛けに使用される果実袋に関する。
【背景技術】
【０００２】
従来、生育中の果実を虫、鳥、直射日光等から保護するため、果実を袋で包む袋掛けが行われている。例えば、梨の果実に袋を掛ける場合、開口させた袋で果実を包み、該袋の口元（開口部）を果梗部分で窄め、この状態で、袋の口元に止金を巻き付けて袋を果梗に固定する。概して、袋と止金とは別個に用意されているので、袋掛けは、一方の手で止金を持った状態で行う煩雑な作業であり、作業の能率を低下させる要因になっていた。
【０００３】
そこで、糊付けあるいはヒートシール等によりシートを貼り合わせて袋状に形成すると同時に、止金をシート間に挟み込むことにより、袋と止金とを一体化させた果実袋が提案されている（例えば「特許文献１」参照）。このような果実袋は、作業中に止金を落としてしまうことはないが、袋の長手端の長さの１／４程度の短い止金を果梗に巻き付けなくてはならず、袋掛け作業の能率を低下させる要因になっていた。
【先行技術文献】
【特許文献】
【０００４】
【特許文献１】特開２００３−３１００６４号公報
【発明の概要】
【発明が解決しようとする課題】
【０００５】
そこで本発明は、袋掛け作業を能率化することが可能な果実袋を提供することを課題とする。
【課題を解決するための手段】
【０００６】
上記課題を解決するために、本発明は、不織布からなる、果実を包むための袋体と、前記袋体に付設された、果実を包む該袋体の開口部を果梗において閉じるための閉じ手段とを備えてなる、ことを特徴とする。
【発明の効果】
【０００７】
本発明によれば、袋体に付設された閉じ手段が果梗に巻き付けられるので、袋掛け作業を能率化することができる。
【図面の簡単な説明】
【０００８】
【図１】本実施形態に係る果実袋の平面図である。
【図２】図１におけるＡ部を拡大して示す図である。
【図３】図２におけるＢ−Ｂ断面を示す図である。
【図４】ストリップが袋体から引き離された状態の果実袋を示す説明図である。
【図５】ストリップが果梗に巻き付けられた状態を示す説明図である。
【図６】ストリップが枝に固定された状態を示す説明図である。
【発明を実施するための形態】
【０００９】
本発明の一実施形態を添付した図を参照して説明する。なお、図１における上下および左右方向を便宜的に上下および左右方向と称する。
本実施形態に係る果実袋１は、果実５（図５参照）を包むための袋体２１と、該袋体２１に付設され、果実５を包む袋体２１の開口部２２を果梗６（図５参照）において閉じるためのストリップ３１（閉じ手段）とを備える。
【００１０】
袋体２１は、長方形の２枚の不織布２，３を重ね合わせ、上側辺２４を除く３辺をヒートシール（熱溶着密閉）で閉じることにより、袋状に形成される。本実施形態では、不織布２，３には、ポリプロピレン（ＰＰ）樹脂製の不織布（ウェブ）が用いられる。なお、本実施形態における不織布２，３は、通気性が、１００cm3/cm2・s 以上のものが適用され、好ましくは２００cm3/cm2・s 以上である。また、不織布２，３の透光性（透過率）は、５０〜９０％であり、好ましくは７０〜９０％である。さらに、不織布２，３は、国際規格（ISO/DIS 11224）で規定された不織布が用いられる。
【００１１】
不織布２，３には、上側辺縁を一定幅で内側に折って二重にした折り返し部２Ａ，３Ａが形成される。折り返し部２Ａ，３Ａは、ヒートシールにて間欠接着することにより、左右方向へ一定間隔L1（図２参照）をあけて形成された複数箇所の接着部２Ｂ，３Ｂにおいて、対向する不織布２，３に接着される。この折り返し部２Ａ，３Ａにより、袋体２１の開口部２２の剛性が強化される。なお、折り返し部２Ａ，３Ａ自体、適宜省略することができる。
【００１２】
果実袋１は、不織布２，３の長手端に沿って上下方向へ延びるヒートシール部１１（ウェブ間結合部）を有する。ヒートシール部１１は、袋体２１の上側辺２４の手前まで、本実施形態においては、袋体２１の下側辺２５から接着部２Ｂ，３Ｂに達する直前まで、延ばされる。図１、図３に示されるように、果実袋１は、当該ヒートシール部１１を境界に、袋体２１とストリップ３１とに区分される。すなわち、ストリップ３１は、袋体２１と同一のポリプロピレン樹脂製の不織布からなり、袋体２１と一体に形成される。また、ストリップ３１は、ヒートシール部１１と同一の長さをなす。
【００１３】
果実袋１は、ヒートシール部１１の左側（袋体２１側）と右側（ストリップ３１側）とを左右両側へ引張ることにより、図４に示されるように、ヒートシール部１１が左右に引き裂かれる（切り裂かれる）ように構成されている。換言すると、ストリップ３１は、左側の長手端３２が、袋体２１から引き離し可能となるように、ヒートシール部１１を介して、当該袋体２１の右側部２６に連接されている。このように、ストリップ３１（閉じ手段）は、袋体２１の開口周縁部２３に連なるように設けられる。なお、ヒートシール部１１が引き裂かれた後も、袋体２１側のヒートシール部（右側部２６）とストリップ３１側のヒートシール部（長手端３２）とのシール性（密閉性）が全長L2にわたって保たれている。また、ヒートシール部１１には、ストリップ３１を袋体２１から容易に引き離すことができるように、当該ヒートシール部１１に沿って延びる薄肉部１３（図３参照）が形成されている。該薄肉部１３の代わりに、細長の切り抜き孔が断続して形成された、所謂ミシン目であってもよい。
【００１４】
ストリップ３１は、その左右両側の長手端３２，３３（図４参照）がヒートシール（熱的接着）されていることにより、筒形状をなしている。また、ストリップ３１は、その下端３５がヒートシールで閉じられることにより、上端３４が開口する袋状（鞘状）に形成される。そして、ストリップ３１の内側には、上端３４の開口から抜き差し可能に挿入された止金３６（巻き紐）が収容される。該止金３６は、円形断面の針金からなり、表面に防錆処理が施されている。なお、止金３６の長さは、袋体２１から外側へ突出しないように、当該袋体２１の全長L3（図１参照）よりもいくらか短く設定されている。
【００１５】
次に、本実施形態に係る果実袋１を用いた袋掛け作業を説明する。
まず、果実袋１を手に取り、袋体２１の開口部２２を開口させる。このとき、開口部２２は、一方の不織布２側の折り返し部２Ａと他方の不織布３側の折り返し部３Ａとが重ね合わされているので、辺縁が折り返されていない果実袋と比較して、容易に開口させることができる。
【００１６】
次に、対象となる果実５（図５参照）を袋体２１で包むようにして、当該袋体２１を果実５に被せる。この状態で、図５に示されるように、閉じ手段としての止金３６（巻き紐）が収容されたストリップ３１、換言すると、止金３６を芯に持つストリップ３１を、袋体２１の開口部２２を窄めながら果梗６に巻き付ける。これにより、果実袋１を果梗６にしっかりと固定することができる。
【００１７】
なお、ストリップ３１を袋体２１から引き離す操作、すなわち、袋体２１とストリップ３１とを薄肉部１３で切り離す操作は、袋体２１を果実５に被せる直前等、所定のタイミングで適宜実施することができる。一方、使用後の果実袋１における止金３６は、ストリップ３１から容易に引き抜くことができ、分別して廃棄することができる。また、ストリップ３１に収容する巻き紐は、止金３６に限定されるものではなく、例えば、プラスチック製の紐等を適用することができる。
【００１８】
本実施形態に係る果実袋１は、以下のような作用効果を奏する。
本実施形態によれば、袋体２１に付設されたストリップ３１（閉じ手段）を、該袋体２１の開口部２２に巻き付けることにより、果実５を包む袋体２１の開口部２２を果梗６において閉じることができる。これにより、ストリップ３１が落ちないように手で押さえながら袋体２１を果実５に被せるような煩雑な作業をなくすことが可能であり、袋掛け作業を能率化することができるとともに作業者の負担を軽減させることができる。
【００１９】
また、本実施形態では、果実５を包むための袋体２１の不織布２，３に、ポリプロピレン樹脂製の不織布を用いたので、対象となる果実５に応じた機能（撥水性、通気性、透光性等）を備えた不織布を適宜選択することにより、様々な果実５の袋掛けに使用することができる。例えば、対象となる果実が梨である場合、果実の色上がりを均一にするために、従来、シート（紙）を二重にしたり、筋入クラフト紙を用いて適度な遮光性を得ていたが、対象となる果実に応じた多種多様な材料からなる果実袋を用意する必要があり、製造コストが増加するとともにその管理が煩雑であった。
【００２０】
これに対し、本実施形態では、不織布（ウェブ）の目付（単位面積当たりの質量）、地合い（不織布全体の質量分布の状態）、縦／横比（不織布の縦方向と横方向との物性値の比）、平均細孔径（不織布中の細孔の平均径）等を適宜選択することにより、１種類の材料（ポリプロピレン樹脂）で様々な果実の袋掛けに対応することができる。また、本実施形態では、不織布（ウェブ）の製造時に薬剤を含浸させる、あるいは繊維の紡糸時に薬剤を練り込むことにより、要求性能を備えた果実袋１を容易に製造することが可能である。さらに、袋体２１の外側から散布した薬剤を、当該袋体２１の内側の果実５に作用させることができ、例えば、袋体２１の内側に侵入した虫に対しても、袋体２１を果梗６から取り外すことなく、該虫を死滅させることが可能である。このように、本実施形態によれば、果実袋１を低コストで製造することができるとともに高い商品価値の果実５を得ることができる。
【００２１】
また、本実施形態では、ストリップ３１を袋状に形成し、該ストリップ３１に止金３６（巻き紐）を抜き差し可能に収容したので、止金３６を不織布２，３の辺縁に貼り付ける形態、あるいは止金３６を不織布２、３間に挟み込む形態、すなわち不織布２，３と止金３６とが一体化された形態と比較して、果実袋１の製造が容易であり、果実袋１の製造コストを削減することができる。さらに、全長がより長いストリップ３１、すなわち、袋体２１の全長L3と略同一長さのストリップ３１および止金３６を用いることができるので、当該ストリップ３１の操作性が向上し、袋掛け作業を能率化することができる。
【００２２】
そして、より長いストリップ３１を用いることができることから、袋体２１を果実５に被せる前に、当該ストリップ３１（止金３６）の先端を枝７（図６参照）に巻き付けることが可能であり、強風下における袋掛け作業時に、果実袋１が吹き飛ばされるのを防止することができる。また、果樹のうち風による落果の損害が最も大きい梨においては、落果は、果梗の切断により発生するものとされているが、本実施形態では、袋体２１を果実５に被せる前後に拘わらず、図６に示されるように、ストリップ３１（止金３６）の先端を果梗６よりも丈夫な枝７に固定することができるので、果梗６が切断されても、果実５を枝７で吊持することが可能であり、地面に落果することによる果実５の損傷を防ぐことができる。
【００２３】
また、本実施形態では、ストリップ３１は、袋体２１と同一のポリプロピレン樹脂製の不織布からなり、該袋体２１の開口周縁部２３に連なり設けられ、さらに、ストリップ３１の長手端３２が、ヒートシールにより袋体２１の側部２６に連接され、ヒートシール部１１に沿って形成された薄肉部１３により、ストリップ３１が袋体２１から引き離し可能であるので、袋体２１とは別に製造したストリップ３１を袋体２１に接着等により接合（付着）させる場合と比較して、製造コストを削減することができる。そして、果実袋１を廃棄するときには、不織布２，３と止金３６（金属）とを容易に分別させることが可能であり、環境汚染を防止することができる。
【符号の説明】
【００２４】
１  果実袋、２，３  不織布、５  果実、６  果梗、２１  袋体、２２  開口部、３１  ストリップ（閉じ手段）
【図１】
2018186761.tif 000003
【図２】
2018186761.tif 000004
【図３】
2018186761.tif 000005
【図４】
2018186761.tif 000006
【図５】
2018186761.tif 000007
【図６】
2018186761.tif 000008